(57)【要約】無歯顎患者から印象を採るための一組の上顎印象トレーと下顎印象トレーとから成り、印象を採る際に咬合位置や高さのデータも同時に記録することができる無歯顎用印象トレーセットを提供する。無歯顎用印象トレーセットを、表面側に印象材が盛られるＵ字状溝を有するトレー本体部４と、前歯部の顎堤を位置させるＵ字状溝の部位の裏面に形成された係止部に、着脱自在に装着されるハンドル部６とから形成されている上顎印象トレー１と下顎印象トレー２とから構成させ、印象を採る際に互いの平らな頂面7aの少なくとも一部を当接させた状態で咬合位置及び高さを決めるための突起部７を、上顎印象トレー１と下顎印象トレー２のそれぞれにおいて、第一臼歯部から小臼歯部までの顎堤を位置させるＵ字状溝の左右の各部位の裏面に、それぞれ突設させる。
2013191126.tif 000002
【特許請求の範囲】
【請求項１】
上顎印象トレー(１)と下顎印象トレー(２)とが、表面側に印象材が盛られるＵ字状溝(３)を有するトレー本体部(４)と、前歯部の顎堤を位置させる該Ｕ字状溝(３)の部位の裏面に形成された係止部(５)に、着脱自在に装着されるハンドル部(６)とから形成されている無歯顎用印象トレーセットであって、印象を採る際に互いの平らな頂面(7a)の少なくとも一部を当接させた状態で咬合位置及び高さを決めるための突起部(７)が、上顎印象トレー(１)と下顎印象トレー(２)のそれぞれにおいて、第一臼歯部から小臼歯部までの顎堤を位置させる該Ｕ字状溝(３)の左右の各部位の裏面に、それぞれ突設されていることを特徴とする無歯顎用印象トレーセット。
【請求項２】
突起部(７)が、その長手方向がＵ字状溝(３)の裏面の稜線方向となるように形成されていると共に、その長手方向の長さが５ｍｍ〜２０ｍｍ、幅方向の長さが３ｍｍ〜１０ｍｍである請求項１に記載の無歯顎用印象トレーセット。
【請求項３】
突起部(７)が、上顎印象トレー(１)と下顎印象トレー(２)とにそれぞれ一体的に形成された中空状の筒状部(８)と、頂面(7a)部分を有し該筒状部(８)の穴部(8a)に挿入係止される咬合高さ調整ピース(９)とから構成されている請求項１又は２に記載の無歯顎用印象トレーセット。 
【発明の詳細な説明】
【技術分野】
【０００１】
本発明は、口腔内の印象を採るために使用される一組の上顎印象トレーと下顎印象トレーとから成り、印象を採る際に咬合位置や高さも同時に記録することができる無歯顎用印象トレーセットに関する。
【背景技術】
【０００２】
一般に歯科治療において、補綴物の作製を行う準備段階として口腔内の印象を採る際には、シリコーン印象材やアルジネート印象材等の印象材が使用される。このような印象材を口腔内に挿入して保持するため印象トレーが用いられる。この印象トレーに印象材を盛り患者の口腔内に挿入し、印象材を患者の口腔内に押し付けて印象材が硬化した後に、印象トレー中に硬化した印象材が保持された状態で一体として患者の口腔内から取り出される。  【０００３】
このような印象を採る際に、無歯顎患者（ほぼ無歯顎の者も含む。）の場合には、滑らかな曲面をなす歯槽堤に対して印象を採る必要があり、この場合、印象材を均等な力で歯槽堤に押し付けなければならないなど、非常に高い精度が要求される。  【０００４】
そのため、無歯顎患者に対しては、より精度良く口腔内の印象を採るために、印象を２度採ることも多い。  【０００５】
具体的には、先ず一般的な印象用トレーにより、歯槽堤に対して１回目の印象を採り、その後硬化した印象から無歯顎模型を作製する。そしてこの無歯顎模型からその無歯顎患者専用の印象用トレー（以下、個人トレーという。）を作製する。  【０００６】
次にこの個人トレーに印象材を薄く盛り、歯槽堤に対して２回目の印象を採り、その印象からより正確な無歯顎模型を作製するのである。  【０００７】
そして無歯顎者の場合は、歯牙がないため、別途、咬合位置や高さを決める必要があるから、顔の外部から計測器等を使用して測定して、咬合器上の無歯顎模型にその計測データを反映させて咬合位置や高さを決める等の多数の行程を経て、最終的に総義歯床を作製するのである。  【０００８】
このような無歯顎患者の印象を採るための印象用トレーとしては、無歯歯槽堤をもつ患者の上顎の歯槽堤と頬との間の谷状部底と上顎口蓋下面の奥の部分の各粘膜に、ユーティリティ・ワックスを盛りつけて端縁を当接する周壁部と、この周壁部の上記端縁と反対の端縁の大部分に接続され正面部分の歯槽堤に近い部分にのみ印象材注入開口を残して設けた底板部と、周壁部の正面部分に設けた把手と、を具備する無歯顎患者の上顎粘膜印象用トレーがある（例えば、特許文献１参照。）。  【０００９】
この上顎粘膜印象用トレーは、無圧状態で正確な印象を採るために、石膏系の印象材のスラリーを流し込んで固めるための印象用トレーであって、その際に印象用トレーから印象材のスラリーがこぼれたり漏れたりしないようにユーティリティ・ワックスが盛りつけられる印象用トレーであり（特許文献１の明細書段落番号０００２〜０００５参照。）、印象を採るのは１度で済む。  【００１０】
しかしながら、この印象用トレーは、歯槽堤の印象を採るだけの印象用トレーにすぎず（特許文献１の明細書段落番号０００１参照。）、咬合位置や高さについては何らのデータも得られないので、この印象トレーによって印象を採っただけでは総義歯床を作製することはできず、従来通り、別途計測等をして咬合位置や高さを決める必要がある。
【先行技術文献】
【特許文献】
【００１１】
【特許文献１】特開平７―２３９８４号公報
【発明の概要】
【発明が解決しようとする課題】
【００１２】
本発明は、無歯顎患者から印象を採るための一組の上顎印象トレーと下顎印象トレーとから成り、印象を採る際に咬合位置や高さも同時に記録することができる無歯顎用印象トレーセットを提供することを課題とする。
【課題を解決するための手段】
【００１３】
本発明者らは、前記課題を解決すべく鋭意研究の結果、上顎印象トレーと下顎印象トレーとが、表面側に印象材が盛られるＵ字状溝を有するトレー本体部と、前歯部の顎堤を位置させる該Ｕ字状溝の部位の裏面に形成された係止部に、着脱自在に装着されるハンドル部とから形成されている無歯顎用印象トレーセットを使用すれば、印象を採る際に、ハンドル部を取り外すこともできるので、ハンドル部が口唇に当たり不正確な印象となることを防止でき、また、印象を採る際に互いの平らな頂面の少なくとも一部を当接させた状態で咬合位置及び高さを決めるための突起部を、上顎印象トレーと下顎印象トレーのそれぞれにおいて、第一臼歯部から小臼歯部までの顎堤を位置させる該Ｕ字状溝の左右の各部位の裏面に、それぞれ突設させれば、前歯と大臼歯とのほぼ中間において、左右１組ずつ突起部が配置されているので、この突起部の平らな頂面の少なくとも一部を当接させながら位置調節すれば、様々な咬合位置や高さで上顎印象トレーと下顎印象トレーの位置を決めることができ、別途、咬合位置や高さを測定するなどの多くの行程を省略して簡便且つ迅速に総義歯床を作製することができることを究明して本発明を完成したのである。  【００１４】
即ち本発明は、上顎印象トレーと下顎印象トレーとが、表面側に印象材が盛られるＵ字状溝を有するトレー本体部と、前歯部の顎堤を位置させる該Ｕ字状溝の部位の裏面に形成された係止部に、着脱自在に装着されるハンドル部とから形成されている無歯顎用印象トレーセットであって、印象を採る際に互いの平らな頂面の少なくとも一部を当接させた状態で咬合面を決めるための突起部が、上顎印象トレーと下顎印象トレーのそれぞれにおいて、第一臼歯部から小臼歯部までの顎堤を位置させる該Ｕ字状溝の左右の各部位の裏面に、一組ずつ突設されていることを特徴とする無歯顎用印象トレーセットである。  【００１５】
咬合位置や高さを決める際に、上顎印象トレーと下顎印象トレーの突起部の頂面が必ずしも図６（印象材を省略した側面説明図）のように並行となるとは限らないため、どのような場合にもより対応しやすくするために、突起部を、図３の如くその長手方向がＵ字状溝の裏面の稜線方向となるように形成させると共に、その長手方向の長さを５ｍｍ〜２０ｍｍ、幅方向の長さを３ｍｍ〜１０ｍｍとすれば、患者の顎位の状態により上顎と下顎の突起部が接しない状態になることを防ぐことができ、さらに、比較的小型の突起部を使用することにより図７（印象材を省略した側面説明図）のように傾いた状態の咬合位置や高さでもその位置に移動させて位置を保持することがより容易にできる。また突起部を、上顎印象トレーと下顎印象トレーとにそれぞれ一体的に形成された中空状の筒状部と、頂面部分を有し該筒状部の穴部に挿入係止される咬合高さ調整ピースとから構成させれば、突起部の高さを容易に変更することができ、正確な咬合位置や高さを容易に決めることができて好ましいのである。  
【発明の効果】
【００１６】
本発明に係る無歯顎用印象トレーセットは、上顎印象トレーと下顎印象トレーとが、表面側に印象材が盛られるＵ字状溝を有するトレー本体部と、前歯部の顎堤を位置させる該Ｕ字状溝の部位の裏面に形成された係止部に、着脱自在に装着されるハンドル部とから形成されているから、印象を採る際に、ハンドル部を取り外すこともできるので、ハンドル部が口唇に当たり不正確な印象となることを防止でき、また、印象を採る際に互いの平らな頂面の少なくとも一部を当接させた状態で咬合位置及び高さを決めるための突起部が、上顎印象トレーと下顎印象トレーのそれぞれにおいて、第一臼歯部から小臼歯部までの顎堤を位置させる該Ｕ字状溝の左右の各部位の裏面に、それぞれ突設されているから、前歯と大臼歯とのほぼ中間において、左右１組ずつ突起部が配置されているので、この突起部の平らな頂面の少なくとも一部を当接させながら位置調節すれば、様々な咬合位置や高さで上顎印象トレーと下顎印象トレーの位置を決めることができ、別途、咬合位置や高さを測定するなどの多くの行程を省略して簡便且つ迅速に総義歯床を作製することができ、またハンドル部を取り外して印象を採る際にも、この突起部を指で押すことによって、余分な印象材が手に付くことなく、印象材を歯槽堤に押し付けることができるのである。  【００１７】
そしてこのような構成において、突起部が、その長手方向がＵ字状溝の裏面の稜線方向となるように形成されていると共に、その長手方向の長さが５ｍｍ〜２０ｍｍ、幅方向の長さが３ｍｍ〜１０ｍｍであれば、患者の顎位の状態により上顎と下顎の突起部が接しない状態になることを防ぐことができ、さらに、比較的小型の突起部を使用することにより、傾いた状態の咬合位置や高さでもその位置に移動させてその位置を保持することがより容易にできて好ましく、また突起部が、上顎印象トレーと下顎印象トレーとにそれぞれ一体的に形成された中空状の筒状部と、頂面部分を有し該筒状部の穴部に挿入係止される咬合高さ調整ピースとから構成されていれば、突起部の高さを容易に変更することができ、正確な咬合位置や高さを容易に決めることができて好ましいのである。  
【図面の簡単な説明】
【００１８】
【図１】本発明に係る無歯顎用印象トレーセットの１実施例の斜視図である。
【図２】図１に示した無歯顎用印象トレーセットを表面側から見た斜視図である。
【図３】図１に示した下顎印象トレーからハンドル部を取り外した状態を示す斜視図である。
【図４】本発明に係る無歯顎用印象トレーセットの他の実施例に係る下顎印象トレーを示す斜視図である。
【図５】本発明に係る無歯顎用印象トレーセットの更に他の実施例に係る下顎印象トレーを示す斜視図である。
【図６】図１に示した無歯顎用印象トレーセットからハンドル部を取り外し、互いの突起部の頂面を並行にさせた状態で当接させた様子を示す側面説明図である。
【図７】図１に示した無歯顎用印象トレーセットからハンドル部を取り外し、互いの突起部の頂面を傾けた状態で当接させた様子を示す側面説明図である。
【発明を実施するための最良の形態】
【００１９】
以下、図面を用いて本発明に係る無歯顎用印象トレーセットについて詳細に説明する。  【００２０】
図面中、１及び２はそれぞれ上顎印象トレーと下顎印象トレーであり、本発明に係る無歯顎用印象トレーセットはこの上顎印象トレー１と下顎印象トレー２とから構成されている。またこの上顎印象トレー１と下顎印象トレー２とは、それぞれ後述するトレー本体部４とハンドル部６とから形成されている。  【００２１】
３は印象材が盛られるＵ字状溝であり、４は表面側にこのＵ字状溝３を有しているトレー本体部である。このトレー本体部４には、図１〜７に示すように盛られた印象材が押し出されて一体となる長孔等が形成されている態様が好ましく、また下顎印象トレー２の場合には、図１〜５のように、舌部分の無い形状とする必要がある。  【００２２】
５は前歯部の顎堤を位置させるＵ字状溝３の部位の裏面に形成された係止部であり、６はこの係止部５に、着脱自在に装着されるハンドル部である。  【００２３】
７は印象を採る際に互いの平らな頂面7aの少なくとも一部を当接させた状態で咬合位置及び高さを決めるための突起部であり、この突起部７は、上顎印象トレー１と下顎印象トレー２のそれぞれにおいて、第一臼歯部から小臼歯部までの顎堤を位置させるＵ字状溝３の左右の各部位の裏面に、それぞれ突設されている。  【００２４】
この突起部７が、その長手方向がＵ字状溝３の裏面の稜線方向となるように形成されていると共に、その長手方向の長さが５ｍｍ〜２０ｍｍ、幅方向の長さを３ｍｍ〜１０ｍｍであれば、患者の顎位の状態により上顎と下顎の突起部が接しない状態になることを防ぐことができ、さらに、比較的小型の突起部を使用することにより、傾いた状態の咬合位置や高さでもその位置に移動させてその位置を保持することが容易にできて好ましいのである。  【００２５】
なお突起部７の長手方向の長さを５ｍｍ〜２０ｍｍとしたのは、５ｍｍ未満では短すぎて、咬合位置及び高さを決める際に上顎印象トレー１と下顎印象トレー２の互いの平らな頂面7aの一部を当接させることができない場合もあり、また２０ｍｍを超えると長すぎて、頂面7aを傾けたり、その位置を保つことが難しくなるからである。また幅方向の長さを３ｍｍ〜１０ｍｍとしたのは、３ｍｍ未満では狭すぎて、咬合位置及び高さを決める際に互いの平らな頂面7aの一部を当接させることができない場合があり、１０ｍｍを超えると広すぎて、突起部７が頬に当たるなどの問題が生じるからである。【００２６】
８は上顎印象トレー１と下顎印象トレー２とにそれぞれ一体的に形成された中空状の筒状部であり、９はこの筒状部８の穴部8aに挿入係止され頂面7a部分を有する咬合高さ調整ピースであり、例えば、図４のように咬合高さ調整ピース９の突設された２つの突部を筒状部８の穴部8aの内面に当接させて係止させる態様がある。  【００２７】
そして突起部７が、これらの筒状部８と咬合高さ調整ピース９とから構成されていれば、突起部７の高さを容易に変更することができ、正確な咬合位置や高さを容易に決めることができて好ましいのである。  【００２８】
このような本発明に係る無歯顎用印象トレーセットを実際に使用するには、先ず、上顎印象トレー１と下顎印象トレー２の各Ｕ字状溝３に印象材を盛り、盛られた印象材を口腔内の歯槽堤に押し当て硬化させると共に、各印象トレー１，２の互いの突起部７の平らな頂面7aの少なくとも一部を当接させながら咬合位置及び高さを決める。  【００２９】
このように印象を採る場合には、慎重に１度だけ印象を採っても、より正確を期すために２度印象を採ってもよい。なお２度印象を採る場合には、本発明に係る無歯顎用印象トレーセットでは個人トレーの作製は前提としてないので、上顎印象トレー１と下顎印象トレー２で最初に印象を採った後に、その印象の上面に薄く新たに印象材を盛って２度目の印象を採ることになる。【００３０】
このようにして印象を採る際に、上顎印象トレー１と下顎印象トレー２とを口腔内で少しずつ移動させながら、噛み合わせをしてもらい、上顎印象トレー１と下顎印象トレー２の互いの突起部７の頂面7aが当接する位置で、よりよい咬合位置及び高さを探すのである。  【００３１】
その際、上顎印象トレー１と下顎印象トレー２に盛られた印象材が十分に硬化してから咬合位置及び高さを決めても、印象材が完全には硬化していない状態で咬合位置及び高さを決めてもよい。  【００３２】
このように印象材を口腔内の歯槽堤に押し当て硬化させると共に、咬合位置及び高さを決めた後に、互いの突起部７の平らな頂面7aを当接させた状態で各印象トレー１，２の裏面間に印象材を盛り硬化させるのである。これにより上顎印象トレー１と下顎印象トレー２及びこれらに盛られた印象の位置が固定され、決められた咬合位置及び高さが記録されるのである。  【００３３】
そして位置固定された各印象トレー１，２とその印象を口腔内から上下顎一体、あるいは上下顎別々に取り出し、その後、上下顎の各印象に模型材を注入し硬化させて無歯顎模型を作製する。  【００３４】
そしてこの無歯顎模型を、先に記録された咬合位置及び高さに基づいて咬合器に装着して、その後は定法に従って総義歯床を作製すればよく、従来より咬合位置及び高さを決める際に行われていた行程を省略でき、簡便且つ迅速に総義歯床を作製することができるのである。
【符号の説明】
【００３５】
１  上顎印象トレー  ２  下顎印象トレー  ３  Ｕ字状溝  ４  トレー本体部  ５  係止部  ６  ハンドル部  ７  突起部    7a  頂面  ８  筒状部    8a  穴部  ９  咬合高さ調整ピース 
【図１】
2013191126.tif 000003
【図２】
2013191126.tif 000004
【図３】
2013191126.tif 000005
【図４】
2013191126.tif 000006
【図５】
2013191126.tif 000007
【図６】
2013191126.tif 000008
【図７】
2013191126.tif 000009
【国際調査報告】
2013191126.tif 000010
2013191126.tif 000011
2013191126.tif 000012
2013191126.tif 000013